(57)【要約】【課題】断熱性を向上し得る床下収納庫及び床下収納構造を提供する。【解決手段】床下収納庫１は、床２に形成された開口部４に埋め込まれるように配設され、支持部１３によって支持される上方開口の箱体１０と、該箱体の開口を開閉する蓋体１５と、前記箱体の上端部位の外周面に沿うように前記開口部の内周面に沿って配設される断熱枠部１４と、を備え、前記蓋体は、前記箱体の上端部位に嵌め込まれる断熱性を有した断熱蓋部２０を備え、該断熱蓋部は、前記箱体の上端部位に嵌め込まれた状態で、前記箱体を拡径させて前記箱体の外周面を前記断熱枠部の内周面に押し付けるように、外周側部の上下方向途中部位２１を上下方向両側部位２２，２３よりも外方側に突出させた形状とされている。【選択図】図１
2014077311.tif 000002
【特許請求の範囲】
【請求項１】
床に形成された開口部に埋め込まれるように配設され、支持部によって支持される上方開口の箱体と、該箱体の開口を開閉する蓋体と、前記箱体の上端部位の外周面に沿うように前記開口部の内周面に沿って配設される断熱枠部と、を備え、
前記蓋体は、前記箱体の上端部位に嵌め込まれる断熱性を有した断熱蓋部を備え、該断熱蓋部は、前記箱体の上端部位に嵌め込まれた状態で、前記箱体を拡径させて前記箱体の外周面を前記断熱枠部の内周面に押し付けるように、外周側部の上下方向途中部位を上下方向両側部位よりも外方側に突出させた形状とされていることを特徴とする床下収納庫。
【請求項２】
上方開口の箱体を、床に形成された開口部に埋め込むように配設して支持部によって支持させ、前記箱体の上端部位の外周面に沿わせるように断熱枠部を前記開口部の内周面に沿わせて配設し、該箱体の開口を開閉する蓋体に設けられた断熱性を有した断熱蓋部を、その外周側部の上下方向途中部位を上下方向両側部位よりも外方側に突出させた形状とし、該断熱蓋部を前記箱体の上端部位に嵌め込んだ状態で、前記箱体を拡径させて前記箱体の外周面を前記断熱枠部の内周面に押し付ける構造としたことを特徴とする床下収納構造。
【発明の詳細な説明】
【技術分野】
【０００１】
本発明は、床に形成された開口部に配設される床下収納庫及び床下収納構造に関する。
【背景技術】
【０００２】
従来より、床に形成された開口部に上方開口の収納庫本体を配設し、この収納庫本体の開口を、断熱性を有する蓋で開閉する構造とされた床下収納庫が知られている。
例えば、下記特許文献１では、床開口部に設置される収納庫本体と、この収納庫本体の上方開口の収納口を開閉する外蓋及び断熱性を有する内蓋と、を備えた床下収納庫が提案されている。また、収納庫本体の外周面の略全周を覆う筒状の補助断熱材を収納庫本体の外周面と床開口部との隙間に介設した構成とされている。
【先行技術文献】
【特許文献】
【０００３】
【特許文献１】特開平９−２２２２８０号公報
【発明の概要】
【発明が解決しようとする課題】
【０００４】
しかしながら、このような床下収納庫では、施工誤差や各部位の寸法誤差等に起因して、収納庫本体の外周面と筒状の補助断熱材の内周面との間に隙間が生じることが考えられる。
【０００５】
本発明は、上記実情に鑑みてなされたものであり、断熱性を向上し得る床下収納庫及び床下収納構造を提供することを目的とする。
【課題を解決するための手段】
【０００６】
上記目的を達成するために、本発明に係る床下収納庫は、床に形成された開口部に埋め込まれるように配設され、支持部によって支持される上方開口の箱体と、該箱体の開口を開閉する蓋体と、前記箱体の上端部位の外周面に沿うように前記開口部の内周面に沿って配設される断熱枠部と、を備え、前記蓋体は、前記箱体の上端部位に嵌め込まれる断熱性を有した断熱蓋部を備え、該断熱蓋部は、前記箱体の上端部位に嵌め込まれた状態で、前記箱体を拡径させて前記箱体の外周面を前記断熱枠部の内周面に押し付けるように、外周側部の上下方向途中部位を上下方向両側部位よりも外方側に突出させた形状とされていることを特徴とする。
【０００７】
また、上記目的を達成するために、本発明に係る床下収納構造は、上方開口の箱体を、床に形成された開口部に埋め込むように配設して支持部によって支持させ、前記箱体の上端部位の外周面に沿わせるように断熱枠部を前記開口部の内周面に沿わせて配設し、該箱体の開口を開閉する蓋体に設けられた断熱性を有した断熱蓋部を、その外周側部の上下方向途中部位を上下方向両側部位よりも外方側に突出させた形状とし、該断熱蓋部を前記箱体の上端部位に嵌め込んだ状態で、前記箱体を拡径させて前記箱体の外周面を前記断熱枠部の内周面に押し付ける構造としたことを特徴とする。
【発明の効果】
【０００８】
本発明に係る床下収納庫及び床下収納構造は、上述のような構成としたことで、断熱性を向上させることができる。
【図面の簡単な説明】
【０００９】
【図１】（ａ）、（ｂ）は、いずれも本発明の一実施形態に係る床下収納庫及び床下収納構造の一例を模式的に示し、（ａ）は、図２（ｂ）のＹ部に対応させた一部破断概略縦断面図、（ｂ）は、（ａ）に対応させた一部を分解した一部破断概略縦断面図である。
【図２】（ａ）、（ｂ）は、いずれも同床下収納庫及び同床下収納構造の一例を模式的に示し、（ａ）は、概略平面図、（ｂ）は、（ａ）におけるＸ−Ｘ線矢視に対応させた一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、床下収納庫を設置した状態を基準として、その上下方向等の方向を原則的に説明する。
【００１１】
図１及び図２は、本実施形態に係る床下収納庫及び床下収納構造の一例を模式的に示す図である。
本実施形態に係る床下収納庫１は、図１及び図２（ｂ）に示すように、床２に形成された開口部４に埋め込まれるように配設され、支持部１３によって支持される上方開口の箱体１０と、箱体１０の開口を開閉する蓋体１５と、を備えている。また、床下収納庫１は、箱体１０の上端部位の外周面に沿うように開口部４の内周面に沿って配設される断熱枠部１４を備えている。
【００１２】
床２としては、床下地上に床材等を配設した構造としてもよい。また、床２としては、図１及び図２（ｂ）に示すように、コンクリート等の床下面７の上側に基礎や束、土台、大引、根太３等を順に配設し、これらによって床下地を構成し、この根太３上に床材等を配設した構成とされたものとしてもよい。
本実施形態では、床材の下方側の根太３間に各種繊維系や発泡系等の断熱材を配設し、断熱構造とした床２を示している。図例では、根太３の下方側に、断熱材を下方側から覆うように板材を配設した例を示しているがこのような板材を設けないようにしてもよい。また、床下地としては、木造に限られず、鉄骨造等としてもよい。
【００１３】
開口部４は、床材の下方側の床下空間と床上空間（室内空間）とを連通させるように設けられている。
本実施形態では、開口部４を平面視して略正方形状とした例を示している（図２（ａ）参照）。
また、本実施形態では、開口部４の内周面（四周内側面）を、床２を構成する床材の端面及び根太３の内側面（開口部４の開口中心側を向く面）で構成している。
なお、開口部４は、床２を施工する際に、開口部４を形成するように根太３や床材等を施工するようにしてもよい。または、床２を施工した後に、床材に厚さ方向に貫通する貫通孔を形成し、開口部４を形成するようにしてもよい。また、根太３は、床下地として設けられたものとしてもよく、または、当該床下収納庫１の取付用の根太３として設けられたものとしてもよい。
【００１４】
箱体１０は、四周の側面部と底面部とを備えた箱状体とされ、上方に向けて開口する平面視略正方形状とされている。この箱体１０の内部空間が物品等を収納可能な収納空間とされている。
また、箱体１０は、その上端部の開口縁に沿って鍔部１１を設けた構造とされている。
鍔部１１は、箱体１０の上端開口縁を外方側に突出させるように設けられている。
この鍔部１１は、開口部４に応じた形状とされており、その外周寸法が開口部４の内周寸法よりも小さく形成されている。この鍔部１１の外周寸法は、箱体１０を支持する支持部１３に応じて適宜の寸法としてもよい。
なお、この鍔部１１は、箱体１０の開口縁の略全周に亘って設けるようにしてもよく、または、開口縁の一部に設けるようにしてもよい。また、鍔部１１は、この鍔部１１を除いた箱体１０と一体的に形成するようにしてもよく、または、別体とされた鍔部１１を、鍔部１１を除いた箱体１０に固定して設けられたものとしてもよい。
【００１５】
また、箱体１０は、その四周内側面の上下方向途中部位に、段部１２を設けた構造とされている。
この段部１２は、箱体１０の上端部位と、この上端部位の下方側部位との境界部位に設けられている。また、本実施形態では、この段部１２を、当該箱体１０を設置した状態で、この段部１２が上下方向において開口部４の内側面の上下内（根太３の上側面と下側面との間）に位置するように設けている。つまり、本実施形態に係る床下収納構造は、この箱体１０を開口部４に埋め込むように配設した状態で、図１（ｂ）に示すように、当該箱体１０の上端部位の外周面（四周外側面）が、開口部４の内周面（四周内側面）に対面する構造とされている。
また、この段部１２は、上方に向く段底面を形成するように上端部位の下方側部位を、その上端部位よりも箱体１０の内部空間中心側に位置させるように、箱体１０の内側面側に設けられている。
また、図例では、当該箱体１０の四周側面部の上端部位とその下方側部位との厚さ寸法を略同寸法とし、箱体１０の外側面側にも段部を設けた例を示している。
なお、この段部１２に、網かご等を係止させるようにしてもよい。
【００１６】
また、本実施形態では、箱体１０の四周側面部を、その底面部から開口縁に向かうに従い僅かに拡開するような形状としている。図例では、箱体１０の上端部位及びその下方側部位のそれぞれを、開口縁側に向かうに従い拡開するような形状としている。
この箱体１０を構成する各部（四周側面部、底面部、鍔部１１）は、それぞれ薄板状とされており、互いに概ね略同厚さとされている。また、この箱体１０は、例えば、「ナイロン６」等のポリアミド合成繊維等の合成樹脂系材料等から形成され、可撓性を有したものとしてもよい。また、この箱体１０の上下方向に沿う寸法は、床下空間の上下寸法に応じた寸法としてもよく、箱体１０を設置した状態で、箱体１０の底面部が床下面７等と干渉しないように、適宜の寸法としてもよい。
【００１７】
本実施形態に係る床下収納構造は、床２に埋め込まれるように配設した箱体１０を、支持部１３よって支持する構造とされている。
この箱体１０を支持する支持部１３は、本実施形態では、開口部４の内周面に沿って配設される枠状の枠状支持部材１３とされている。
この枠状支持部材１３は、開口部４に応じた形状とされている。
また、枠状支持部材１３は、箱体１０の上端部の鍔部１１を支持する構造とされている。
図例では、この枠状支持部材１３を、開口部４の内周面に沿って配設される立壁部と、この立壁部の上端縁から外方側に向けて突出するように設けられ開口部４の開口縁に係止される鍔部と、立壁部の下端縁から内方側に向けて突出するように設けられた固定部と、を備えたものとしている。また、枠状支持部材１３の固定部の内方側に、段下がり状に形成され、箱体１０の鍔部１１が係止される係止段部を設けた構造としている。
【００１８】
上記構成とされた枠状支持部材１３は、立壁部を開口部４の内周面に沿わせ、鍔部を開口部４の開口縁に係止させ、開口部４の内周面に沿って固定される。図例では、開口部４の内周面に桟材５を固定し、この桟材５の上方側に、枠状支持部材１３の固定部をねじや釘等の止具によって固定した例を示している。本実施形態では、この桟材５を、箱体１０を設置した状態で、箱体１０の上端部位の上下方向中間部よりも上側部位に位置するように設けた例を示している。
この桟材５は、開口部４の内周面を構成する根太３の内側面に固定するようにしてもよい。また、この桟材５は、開口部４の四周内側面の略全周に亘って設けるようにしてもよい。また、この桟材５は、開口部４の四周内側面に対応させて枠状に形成されたものとしてもよく、または、角柱状体とされたものとしてもよい。
【００１９】
なお、支持部１３としては、本実施形態のような箱体１０の上端部を支持する構造とされた枠状支持部材１３に限られない。支持部１３としては、このような枠状支持部材１３に代えてまたは加えて、箱体１０と床下面７との間の空間を埋めるように箱体１０の下方側に設けられた支持部８としてもよく、この支持部８によって箱体１０を底部側から支持する態様としてもよい（図２（ｂ）参照）。このように支持部８によって箱体１０を底部側から支持することにより、箱体１０及び箱体１０内に収容された物品等の荷重を支持部８によって受けることができ、例えば、上記した枠状支持部材１３のみによって箱体１０を支持するようにした場合と比べて、箱体１０をより安定的に支持することができる。なお、このような支持部８としては、モルタル等を用いるようにしてもよい。
【００２０】
断熱枠部１４は、開口部４に応じた形状とされている。
本実施形態では、断熱枠部１４を、図２（ａ）に示すように、平面視略正方形状の枠状体としている。また、本実施形態では、図１に示すように、断熱枠部１４を構成する各辺部を、縦断面視して上下方向に長尺の略矩形状としている。
この断熱枠部１４の外周寸法は、開口部４の内周寸法と略同寸法とされている。つまり、この断熱枠部１４の対向辺部の外側面間の寸法を、開口部４の対向する根太３，３の対向内側面間の間隔と略同寸法としている。また、この断熱枠部１４の内周寸法は、箱体１０の上端部位の外周寸法と略同寸法とされている。つまり、この断熱枠部１４の対向辺部の内側面間の寸法を、箱体１０の対向する外側面間の寸法と略同寸法としている。本実施形態では、上述のように、箱体１０の上端部位を、開口縁に向かうに従い拡開形状としており、この断熱枠部１４の四周内側面の形状を、箱体１０の上端部位の外郭形状に応じた形状としている。
【００２１】
また、この断熱枠部１４の各辺部の長手方向及び上下方向に直交する方向に沿う寸法（対向辺部間方向に沿う寸法、幅寸法）を、箱体１０の上端部位の各側面部とこれらにそれぞれ対向する各根太３の内側面との間の間隔に応じた寸法としている。
また、本実施形態では、断熱枠部１４の上下方向に沿う寸法（厚さ寸法）を、根太３の上下方向に沿う寸法（厚さ寸法）よりも小としている。
また、本実施形態では、断熱枠部１４の上下方向に沿う寸法を、箱体１０の上端部位の上下方向に沿う寸法よりも小としている。
また、断熱枠部１４は、発泡スチロールや発泡ウレタン等から形成された発泡成形品とされたものとしてもよい。また、断熱枠部１４は、これらの材料等から一体的に枠状に発泡成形品として形成されたものとしてもよく、または、複数の部材を枠状に接合して形成されたものとしてもよい。
【００２２】
本実施形態に係る床下収納構造は、上記構成とされた断熱枠部１４を、箱体１０の上端部位の外周面に沿わせるように開口部４の内周面に沿わせて配設した構造とされている。本実施形態では、断熱枠部１４を、その上側面が根太３の上側面よりも下方側に位置するように、その下側面が根太３の下側面よりも上方側に位置するように、根太３の内側面の上下方向途中位置に配設している。また、本実施形態では、箱体１０を設置した状態で、断熱枠部１４の下側面が箱体１０の段部１２近傍部位に位置するように断熱枠部１４を配設している。図例では、断熱枠部１４の下側面が箱体１０の段部１２よりも若干上方側に位置するように、断熱枠部１４を配設した例を示している。
【００２３】
また、本実施形態では、この断熱枠部１４を、枠状支持部材１３を固定する桟材５と、この桟材５の下方側において根太３の内側面に固定された下方側桟材６との間に挟持するように、根太３の内側面に固定した例を示している。これら桟材５及び下方側桟材６の長手方向及び上下方向に直交する方向に沿う寸法（幅寸法）は、断熱枠部１４の各辺部の幅寸法よりも小さく形成されている。
なお、この断熱枠部１４は、その上下両側の桟材５及び下方側桟材６によって挟むように固定されるものとしてもよく、または、これに加えて、断熱枠部１４を止具や接着剤等によって根太３に固定するようにしてもよい。
また、上記した桟材５及び下方側桟材６は、当該床下収納庫１の施工現場等において、適宜手配されるものとしてもよい。
また、下方側桟材６は、上記した桟材５と同様、開口部４の四周内側面に対応させて枠状に形成されたものとしてもよく、または、角柱状体とされたものとしてもよい。
【００２４】
蓋体１５は、箱体１０の上端部位に嵌め込まれる断熱性を有した断熱蓋部２０を備えている。
本実施形態では、蓋体１５を、箱体１０の開口を開閉する蓋本体部１６と、その下方側に設けられた断熱蓋部２０と、を備えた構造としている。
蓋本体部１６は、平面視略正方形状の略矩形平板状とされた板状体１７と、この板状体１７の四周側端部の略全周に亘って設けられた外周枠１８と、を備えている。
蓋本体部１６は、開口部４に応じた形状とされている。本実施形態では、蓋本体部１６を、図２（ａ）に示すように、平面視略正方形状の略矩形平板状とし、平面視において開口部４よりも若干小径状とした例を示している。
【００２５】
蓋本体部１６の板状体１７は、木質系材料を板状に加工した基材に、適宜、合成樹脂シートや突板等の表面化粧シートを貼着した構成としてもよい。
外周枠１８は、枠状体とされ、縦断面視略コ字状とされている。
この外周枠１８は、蓋本体部１６の四周端面に沿って配設される立壁部と、この立壁部の上端縁から内方側に突出するように設けられ蓋本体部１６の四周側端部の上端縁に係止される鍔部と、立壁部の下端縁から内方側に突出するように設けられた底片部と、を備えている。
また、外周枠１８は、この底片部の下方側に、枠状支持部材１３の固定部に当接される当接部を備えている。この当接部は、底片部の内方側端縁から下方側に突出するように設けられている。
【００２６】
この蓋本体部１６は、その外周枠１８を枠状支持部材１３に当接させるように、枠状支持部材１３の上方側に開閉自在に載置される。また、蓋本体部１６は、枠状支持部材１３の上方側に載置された状態では、蓋本体部１６の上面と床２（床材）の上面とが同一平面状となる構造とされている（図１（ａ）参照）。
また、図例では、蓋本体部１６の上面側に取手１６ａを設けた例を示している（図２（ａ）参照）。このような取手１６ａを設けることで、蓋本体部１６を容易に開閉することができる。
なお、蓋本体部１６は、枠状支持部材１３に支持される態様に代えて、または加えて、箱体１０の鍔部１１に支持される態様としてもよい。
【００２７】
断熱蓋部２０は、平面視略正方形状の略矩形平板状とされている。
また、断熱蓋部２０は、図１に示すように、箱体１０の上端部位に嵌め込まれた状態で、箱体１０を拡径させて箱体１０の外周面を断熱枠部１４の内周面に押し付けるように、外周側部の上下方向途中部位（中間部位）２１を上下方向両側部位（上側部位２２及び下側部位２３）よりも外方側に突出させた形状とされている。つまり、断熱蓋部２０の上側部位２２を、上方に向かうに従い先細り形状とし、断熱蓋部２０の下側部位２３を、下方に向かうに従い先細り形状としている。
この断熱蓋部２０の外周寸法は、蓋本体部１６の外周寸法よりも小とされている。また、本実施形態では、この断熱蓋部２０の最突出部位の外周寸法を、当該断熱蓋部２０を箱体１０に嵌め込んでいない状態において、箱体１０の上端部位における断熱蓋部２０の最突出部位が当接される部位の内周寸法よりも大としている。この断熱蓋部２０の最突出部位の外周寸法は、箱体１０を破断等させることなく当該断熱蓋部２０を箱体１０の上端部位に嵌め込み可能なように、また、当該断熱蓋部２０を箱体１０の上端部位に嵌め込んだ状態で箱体１０の上端部位を拡径可能なように適宜、設定するようにしてもよい。
また、本実施形態では、断熱蓋部２０の下方側縁部の外周寸法を、当該断熱蓋部２０を箱体１０に嵌め込んでいない状態において、箱体１０の開口縁の内周寸法よりも小としている。また、本実施形態では、断熱蓋部２０の下方側縁部の外周寸法を、箱体１０の段部１２の段底面の内周縁の内周寸法よりも大としている。また、本実施形態では、断熱蓋部２０の上方側縁部の外周寸法を、箱体１０の開口縁の内周寸法よりも小としている。
【００２８】
また、断熱蓋部２０の厚さ寸法は、蓋本体部１６の厚さ寸法よりも大とされ、また、箱体１０の上端部位の上下寸法と略同寸法とされている。また、本実施形態では、断熱蓋部２０の厚さ寸法を、断熱枠部１４の上下方向に沿う厚さ寸法よりも大きくしている。
また、本実施形態では、断熱蓋部２０の外周側部の中間部位２１の最突出部位を、断熱蓋部２０の外周側面の上端縁と下端縁との上下方向中間部に位置するように、外周側面の全周に亘って設けている。
また、本実施形態では、断熱蓋部２０の外周面（四周外側面）を、中間部位２１の最突出部位から、上方側縁部に向かうに従い内方側（蓋体１５の平面視中央側）に傾斜する上方側傾斜面と、該最突出部位から、下方側縁部に向かうに従い内方側（蓋体１５の平面視中央側）に傾斜する下方側傾斜面とによって構成している。
この断熱蓋部２０は、発泡スチロールや発泡ウレタン等から形成された発泡成形品としてもよい。また、断熱蓋部２０としては、合成樹脂系材料等で形成されたケースに、発泡スチロールや発泡ウレタン等を充填したものとしてもよい。
また、この断熱蓋部２０は、箱体１０の上端部位に嵌め込まれた状態で、箱体１０の上端部位を拡開可能なように、箱体１０よりも高硬度とされたものとしてもよい。
【００２９】
なお、この断熱蓋部２０は、箱体１０の段部１２に支持されるものとしてもよい。また、この断熱蓋部２０は、蓋体１５の蓋本体部１６に一体的に固定されたものとしてもよく、または、蓋本体部１６と別体とされたものとしてもよい。断熱蓋部２０が蓋本体部１６に一体的に固定されている場合には、蓋本体部１６とともに箱体１０に対して開閉自在とされるものとしてもよい。また、断熱蓋部２０が蓋本体部１６と別体とされている場合には、断熱蓋部２０の上面側等に、適宜、取手等を設けるようにしてもよい。
【００３０】
本実施形態に係る床下収納構造は、上記構成とされた断熱蓋部２０を箱体１０の上端部位に嵌め込んだ状態で、箱体１０を拡径させて箱体１０の外周面を断熱枠部１４の内周面に押し付ける構造とされている。
また、本実施形態では、上記した箱体１０、枠状支持部材１３及び断熱枠部１４を施工し、かつ断熱蓋部２０を箱体１０の上端部位に嵌め込んだ状態で、断熱蓋部２０の中間部位２１の最突出部位が、上下方向において断熱枠部１４の上下厚さ内に位置する構造としている。図例では、上記状態で、断熱蓋部２０の中間部位２１の最突出部位が、上下方向において断熱枠部１４の内周面の上端縁から若干下方側に位置する例を示している（図１（ａ）参照）。
【００３１】
上記構成とされた本実施形態に係る床下収納庫１及び床下収納構造によれば、断熱性を向上させることができる。
つまり、当該床下収納庫１は、箱体１０の上端部位に嵌め込まれた状態で、箱体１０を拡径させて箱体１０の外周面を、開口部４の内周面に沿って配設される断熱枠部１４の内周面に押し付けるように、外周側部の上下方向途中部位２１を上下方向両側部位２２，２３よりも外方側に突出させた形状とされ、箱体１０の上端部位に嵌め込まれる断熱蓋部２０を備えている。従って、当該床下収納庫１を施工した状態で、施工誤差や各部位の寸法誤差等によって、箱体１０の外周面と断熱枠部１４の内周面との間に隙間が生じているような場合でも、断熱蓋部２０を箱体１０の上端部位に嵌め込むことで、箱体１０が拡径する。これにより、箱体１０の外周面と断熱枠部１４の内周面との間の隙間を低減させることができ、または、隙間を略なくすことができ、当該隙間を介した床下側と室内側との空気の流通を抑制することができ、断熱性を向上させることができる。また、箱体１０の内周面に断熱蓋部１４の外周側部を密着させることができ、箱体１０の気密性を確保することもできる。また、断熱蓋部２０を、外周側部の上下方向途中部位２１を上下方向両側部位２２，２３よりも外方側に突出させた形状、つまりは、断熱蓋部２０の突出部位よりも下方側を下方側に向かうに従い先細り状のような形状としている。従って、断熱蓋部２０を箱体１０の上方開口から嵌め入れる際にスムーズに嵌め入れることができる。
【００３２】
また、本実施形態では、上記した箱体１０、枠状支持部材１３及び断熱枠部１４を施工し、かつ断熱蓋部２０を箱体１０の上端部位に嵌め込んだ状態で、断熱蓋部２０の中間部位２１の最突出部位が、上下方向において断熱枠部１４の上下厚さ内に位置する構造としている。従って、例えば、断熱蓋部２０を箱体１０の上端部位に嵌め込んだ状態で、断熱蓋部２０の中間部位２１の最突出部位が、上下方向において断熱枠部１４の上方側や下方側に位置するようなものと比べて、箱体１０の上端部位の外周面を断熱枠部１４の内周面により確実に押し付けることができ、断熱性をより向上させることができる。
【００３３】
なお、本実施形態では、開口部４を、平面視して略正方形状とした例を示しているが、この態様に限られず、例えば、平面視して略長方形状や略円形状等としてもよい。この場合は、床下収納庫１を構成する上記した箱体１０や枠状支持部材１３、断熱枠部１４、蓋体１５等を開口部４の平面視における形状に応じた形状とすればよい。
また、本実施形態では、断熱蓋部２０の外周側面を、中間部位２１の最突出部位を挟んで上方側傾斜面と下方側傾斜面とによって構成した例を示しているが、この態様に限られない。断熱蓋部２０の外周側面を凸湾曲面形状としてもよい。
また、本実施形態では、段部１２を箱体１０に設けた例を示しているが、この態様に限られず、例えば、蓋体１５の蓋本体部１６と断熱蓋部２０とが一体的に固定されたものとした場合には、段部１２を設けないようにしてもよい。
また、蓋体１５の開閉構造としては、図例のように、蓋本体部１６を枠状支持部材１３の上方側に開閉可能に載置した態様に限られず、蓋体１５の蓋本体部１６の一側端部等を、枠状支持部材１３や、開口部４の開口縁等に回動連結部材を介して回動可能に連結し、開閉可能とした構造としてもよい。
また、本実施形態では、断熱蓋部２０を箱体１０の上端部位に嵌め込んだ状態で、断熱蓋部２０の中間部位２１の最突出部位が、上下方向において断熱枠部１４の上下厚さ内に位置する構造とした例を示しているが、このような態様に限られない。例えば、断熱蓋部２０を箱体１０の上端部位に嵌め込んだ状態で、断熱蓋部２０の中間部位２１の最突出部位が、上下方向において断熱枠部１４の上方側や下方側に位置する態様としてもよい。
【符号の説明】
【００３４】
１                床下収納庫
２                床
４                開口部
１０              箱体
１３              枠状支持部材（支持部）
１４              断熱枠部
１５              蓋体
２０              断熱蓋部
２１              中間部位（上下方向途中部位）
２２              上側部位（上下方向上側部位）
２３              下側部位（上下方向下側部位）
【図１】
2014077311.tif 000003
【図２】
2014077311.tif 000004